(57)【要約】【課題】遠隔制御システムにおいて、家電機器の小型化及びコスト低減を図り、複数の家電機器に対する遠隔制御の操作の煩雑さを解消する。【解決手段】遠隔制御システム１のホームサーバ４は、携帯端末器２からの電子メールを受信する電子メール受信部４１と、電子メールの受信時刻を計測する計時部４２と、時間帯と家電機器３に対する操作内容とを関連付けした第１のテーブルを記憶する記憶部４３と、第１のテーブルを参照し、電子メールの受信時刻に応じて操作内容を選択する選択部４４と、選択された操作内容に応じて家電機器３を制御する機器制御部４５と、を備える。電子メール受信部４１は上記サーバに設けられるので、家電機器３の小型化及びコスト低減が可能となる。選択部４４は、空メールに基づき、その受信時刻を含む時間帯に関連付けられた操作内容を選択する。従って、空メールにより複数の家電機器３を遠隔制御でき、操作の煩雑さを解消できる。【選択図】図１
2007257427.tif 000002
【特許請求の範囲】
【請求項１】
家電機器に対する操作内容を含む電子メールを送信する携帯端末器と、前記携帯端末器からの前記電子メールに応じて遠隔制御される家電機器と、を備える遠隔制御システムにおいて、
前記携帯端末器と家電機器とを接続するホームサーバを備え、
前記ホームサーバは、前記携帯端末器から送信された送信先が該サーバである前記電子メールを受信するメール受信部と、前記メール受信部が前記電子メールを受信した時刻を計測するタイマと、時間帯と家電機器に対する操作内容とを関連付けした第１のテーブルを記憶するメモリと、前記第１のテーブルを参照し、前記タイマにより計測された前記電子メールを受信した時刻を含む時間帯に関連付けられた家電機器に対する操作内容を選択する選択部と、前記選択部により選択された操作内容に応じて家電機器を制御する制御部と、を有することを特徴とする遠隔制御システム。
【請求項２】
前記第１のテーブルは、時間帯と家電機器に対する複数の操作内容とを関連付けし、
前記メモリは、該操作内容がユーザにより実行された頻度を、前記第１のテーブルに記憶し、
前記選択部は、前記第１のテーブルを参照し、前記電子メールを受信した時刻を含む時間帯に関連付けされた複数の操作内容のうち、最も高い頻度で実行された操作内容を選択することを特徴とする請求項１に記載の遠隔制御システム。
【請求項３】
前記メモリは、前記携帯端末器から送信された電子メールに基づいて作成される第２テーブルを記憶し、
前記第２テーブルは、時間帯と、該時間帯に受信した前記電子メールに含まれる家電機器に対する操作内容と、該操作内容がユーザにより実行された頻度と、を関連付けし、
前記選択部は、前記第１のテーブル及び前記第２のテーブルを参照し、前記電子メールを受信した時刻を含む時間帯に関連付けされた複数の操作内容のうち、最も高い頻度で実行された操作内容を選択することを特徴とする請求項２に記載の遠隔制御システム。
【請求項４】
前記ホームサーバは、前記電子メールを受信したとき、前記第１のテーブル及び前記第２のテーブルを参照し、前記電子メールを受信した時刻を含む時間帯に関連付けされ、且つ、頻度順に配列された家電機器に対する複数の操作内容を表示するための返信メールを前記携帯端末器に送信し、
前記携帯端末器は、前記返信メールの表示を基に、ユーザにより選択された操作内容を含む再送信メールを前記ホームサーバに送信し、
前記選択部は、前記再送信メールの内容に応じて操作内容を選択することを特徴とする請求項２又は請求項３に記載の遠隔制御システム。
【発明の詳細な説明】
【技術分野】
【０００１】
本発明は、携帯端末器から送信された電子メールに応じて家電機器が遠隔制御される遠隔制御システムに関する。
【背景技術】
【０００２】
従来より、建物外から建物内の家電機器を遠隔に制御することが可能な遠隔制御システムにおいて、携帯電話機等の携帯端末器から、家電機器を操作するための操作情報が文字入力された電子メールを送信し、該電子メールにより家電機器を制御する遠隔制御システムが知られている。例えば、このようなシステムとして、個々の家電機器に電子メールアドレスを付し、ネットワークを介して接続された端末から家電機器毎に対して電子メールを送信し、個々の家電機器を遠隔に制御する遠隔制御システムが知られている（例えば、特許文献１参照）。この遠隔制御システムの個々の家電機器は、上記端末との間で電子メールの送受信を行なう通信制御部と、上記電子メールの件名の欄に記述された操作キーを抽出すると共に、上記操作キーと操作プログラムとを対応させた対応表に基づいて操作プログラムを決定する認証・操作キー取り出し部と、上記操作プログラムに基づく動作を実行する操作コマンド実行部とを有する。
【０００３】
また、戸外から種々の家電機器を遠隔制御するため、携帯端末の電子メール送受機能を用いて、携帯端末から家電製品を制御するための家電製品制御信号が親電話機に対して送信される家電製品遠隔制御システムが知られている（例えば、特許文献２参照）。この携帯端末のユーザは、携帯端末の画面に表示された制御内容のうち、所望の制御内容を選択する。また、この携帯端末は、ユーザにより選択された制御内容に対応した家電製品制御信号を送信する。この家電製品制御信号は、通常の電子メールであるか又は該制御信号であるかの判別を行なうための判別コードと、家電製品のメーカ識別と機種を指定する識別コードと、家電製品に対する制御内容を指示する操作コードと、が文字入力された電子メール信号である。この電子メール信号を受信する親電話機は、電子メール信号が家電製品制御信号であるかどうかを判別し、家電製品制御信号に対応する制御対象家電製品の家電リモコンコードを選択し、選択した家電リモコンコードを赤外線または電波で制御対象家電製品に発信する。
【特許文献１】特開２００３−１０２０７１号公報
【特許文献２】特開２００２−１７１５７７号公報
【発明の開示】
【発明が解決しようとする課題】
【０００４】
しかしながら、特許文献１に記載の技術では、電子メールの送受信を行なう通信制御部が各家電機器に設けられるので、家電機器の小型化が困難になると共に、家電機器のコスト増加を招く可能性があった。また、操作情報を含む電子メールが、アドレスがそれぞれに割り当てられた家電機器に対して送信されるので、同時に複数の家電機器を操作する際、各家電機器に対して操作情報を送信する必要が生じ、遠隔制御のための操作が煩雑なものになっていた。また、特許文献２に記載の技術では、電子メールに、所望の制御内容に対応した上記の各種コードを文字入力するため、携帯端末の画面に表示された制御内容のうち所望の制御内容を選択する必要があるので、制御対象である家電製品の種類や数、家電機器に対する操作内容の数が増加するにつれ、選択操作の際に手間がかかり、遠隔制御のための操作が面倒になることがあった。
【０００５】
本発明は、上記従来の問題を解決するためになされたものであり、遠隔制御可能な家電機器の小型化及びコスト低減を図り、さらには、複数の家電機器に対する遠隔制御の操作の煩雑さを解消することができる遠隔制御システムを提供することを目的とする。
【課題を解決するための手段】
【０００６】
上記目的を達成するために請求項１の発明は、家電機器に対する操作内容を含む電子メールを送信する携帯端末器と、前記携帯端末器からの前記電子メールに応じて遠隔制御される家電機器と、を備える遠隔制御システムにおいて、前記携帯端末器と家電機器とを接続するホームサーバを備え、前記ホームサーバは、前記携帯端末器から送信された送信先が該サーバである前記電子メールを受信するメール受信部と、前記メール受信部が前記電子メールを受信した時刻を計測するタイマと、時間帯と家電機器に対する操作内容とを関連付けした第１のテーブルを記憶するメモリと、前記第１のテーブルを参照し、前記タイマにより計測された前記電子メールを受信した時刻を含む時間帯に関連付けられた家電機器に対する操作内容を選択する選択部と、前記選択部により選択された操作内容に応じて家電機器を制御する制御部と、を有するものである。
【０００７】
請求項２の発明は、請求項１に記載の遠隔制御システムにおいて、前記第１のテーブルは、時間帯と家電機器に対する複数の操作内容とを関連付けし、前記メモリは、該操作内容がユーザにより実行された頻度を、前記第１のテーブルに記憶し、前記選択部は、前記第１のテーブルを参照し、前記電子メールを受信した時刻を含む時間帯に関連付けされた複数の操作内容のうち、最も高い頻度で実行された操作内容を選択するものである。
【０００８】
請求項３の発明は、請求項２に記載の遠隔制御システムにおいて、前記メモリは、前記携帯端末器から送信された電子メールに基づいて作成される第２テーブルを記憶し、前記第２テーブルは、時間帯と、該時間帯に受信した前記電子メールに含まれる家電機器に対する操作内容と、該操作内容がユーザにより実行された頻度と、を関連付けし、前記選択部は、前記第１のテーブル及び前記第２のテーブルを参照し、前記電子メールを受信した時刻を含む時間帯に関連付けされた複数の操作内容のうち、最も高い頻度で実行された操作内容を選択するものである。
【０００９】
請求項４の発明は、請求項２又は請求項３に記載の遠隔制御システムにおいて、前記ホームサーバは、前記電子メールを受信したとき、前記第１のテーブル及び前記第２のテーブルを参照し、前記電子メールを受信した時刻を含む時間帯に関連付けされ、且つ、頻度順に配列された家電機器に対する複数の操作内容を表示するための返信メールを前記携帯端末器に送信し、前記携帯端末器は、前記返信メールの表示を基に、ユーザにより選択された操作内容を含む再送信メールを前記ホームサーバに送信し、前記選択部は、前記再送信メールの内容に応じて操作内容を選択するものである。
【発明の効果】
【００１０】
請求項１の発明によれば、携帯端末器からの操作内容を含む電子メールを受信するメール受信部が家電機器ではなくホームサーバに設けられ、このホームサーバは携帯端末器と家電機器とを接続するので、家電機器が遠隔制御のためにメール受信部を有する必要がなく、家電機器の小型化及びコストの抑制を図ることができる。また、家電機器は、時間帯と該機器に対する操作内容とが関連付けられた第１のテーブルに基づいて制御されるので、空メールであってもその受信時刻に応じて家電機器を制御でき、遠隔制御のための操作を簡単なものにできる。さらに、第１のテーブルにおいて時間帯と複数の家電機器に対する操作内容とが関連付けられる場合、ホームサーバを送信先にする電子メールを一度送信するだけで複数の家電機器を操作することが可能となり、操作の煩雑さを解消することができる。
【００１１】
請求項２又は請求項３の発明によれば、家電機器に対する操作内容が実行された頻度が記憶され、複数の操作内容のうち最も高い頻度で実行された操作内容が自動的に選択されるので、遠隔制御システムが学習機能を有することになり、ユーザの利便性が向上する。
【００１２】
請求項４の発明によれば、ユーザは、頻度順に配列された家電機器に対する操作内容を表示する返信メールを参照し、所望の操作内容を選択することができるので、操作内容の選択を容易に行なうことができる。また、選択した操作内容を含む再送信メールを送信することによって家電機器を遠隔制御できるので、遠隔制御のための操作を簡単なものにすることができる。従って、利便性を一層向上させることが可能となる。
【発明を実施するための最良の形態】
【００１３】
本発明の第１の実施形態に係る遠隔制御システムについて図１を参照して説明する。図１は、本実施形態の遠隔制御システムの構成を示す。遠隔制御システム１は、電子メールの送受信が可能な携帯端末器２と、建物内に設けられ、携帯端末器２と該端末器により遠隔制御される家電機器３とを電気的に接続するホームサーバ４とを備える。家電機器３には、例えば、照明器具３ａとエアコン３ｂとが含まれる。なお、家電機器３はこれらに限定されない。
【００１４】
携帯端末器２は、例えば携帯電話機であり、家電機器３に対するコマンド（操作内容）が入力されるコマンド入力部２１と、コマンド入力部２１に入力された家電機器３に対するコマンド（以下、コマンドと略す）の内容を表示する表示部２２と、コマンドを含む電子メールを送信する電子メール送信部２３と、表示部２２の表示制御及び電子メール送信部２３のメール送信制御を行なう制御部２４と、を備える。
【００１５】
コマンド入力部２１は、ユーザにより操作される各種キーで構成され、キー操作に基づいて操作信号を制御部２４に送信する。ユーザは、キー操作により、例えば、携帯端末器２の各種設定、電子メールの作成、電子メールの送信、コマンドの入力例を示すフォーマットの表示を行なうことが可能である。ユーザにより作成された電子メールはコマンド（破線枠内に示す）を含むことがある。このコマンドには、電子メールのテキスト入力欄に操作内容が記載されたもの、すなわち、遠隔操作を望む家電機器３の名称のみを文字入力したものと、該機器の名称及び所望の動作内容を文字入力したものとがある。また、このコマンドには、電子メールのテキスト入力欄に操作内容が記載されていないもの、すなわち、文字入力が無いものがある。コマンドの入力方法には、各種キーを操作して一文字ずつコマンドを打ち込む方法が含まれる。
【００１６】
表示部２２は、液晶ディスプレイで構成され、この液晶ディスプレイにより、携帯端末器２の各種設定事項、送信予定又は送信済みの電子メールの内容、又は家電機器３に対するコマンドのフォーマット等を表示する。表示部２２に表示される電子メールの内容には、コマンド入力部２１からユーザにより入力されたコマンドの文字列（破線枠内に示す）が含まれる。
【００１７】
電子メール送信部２３は、電子メールを無線で送信するための無線通信回路で構成される。電子メール送信部２３は、この無線通信回路により、電子メールをユーザが指定した送信先へ送信する。この電子メールは公衆通信回線５を介して送信される。図１において、電子メール送信部２３の破線枠内に、送信済みの電子メールの内容を示す。該内容には、電子メールの送信先（Ｔｏ）、件名及びテキストの内容が含まれる。
【００１８】
制御部２４は、表示部２２及び電子メール送信部２３を含む携帯端末器２内の各部を制御するためのＣＰＵ（Ｃｅｎｔｒａｌ  Ｐｒｏｃｅｓｓｉｎｇ  Ｕｎｉｔ）を有するマイクロコンピュータで構成される。制御部２４が行なう表示部２２の表示制御は、コマンド入力部２１からの操作信号に基づいて行なわれる。制御部２４は、この表示制御により、例えば、電子メールの送信先と、件名と、コマンドの文字列とを又はコマンドのフォーマットを表示部２２に表示させる。制御部２４が行なう電子メール送信部２３のメール送信制御は、コマンド入力部２１からの上記操作信号に基づいて行なわれる。制御部２４は、このメール送信制御により、例えば、コマンドをテキストとして持つ電子メールを電子メール送信部２３から送信させる。
【００１９】
上記のように構成された携帯端末器２と家電機器３とを接続するホームサーバ４は、建物内の各種家電機器３を制御するサーバであり、電子メールを公衆通信回線５を介して受信する電子メール受信部４１と、電子メール受信部４１が電子メールを受信した時刻を計測する計時部４２と、時間帯と家電機器３に対する操作内容とを関連付けした第１テーブルを記憶する記憶部４３と、家電機器３に対する操作内容を選択する選択部４４と、選択部４４により選択された操作内容に応じて家電機器３を制御する機器制御部４５と、を備える。家電機器３に対する操作内容には、操作の対象となる家電機器３の情報と、該機器に行なわせる動作の内容とが含まれる。
【００２０】
電子メール受信部４１は、電子メールを受信するための通信回路で構成され、この通信回路により、例えば、携帯端末器２の電子メール送信部２３からホームサーバ４へ送信された、コマンドを含む電子メールを受信する。また、電子メール受信部４１は、受信した電子メールに応じた信号を選択部４４に送信する。図１において、電子メール受信部４１の破線枠内に、受信した電子メールの内容を示す。該内容には、電子メールの送信元（Ｆｒｏｍ）、件名及びテキストの内容が含まれる。このように、電子メール受信部が家電機器３にではなくホームサーバ４に設けられ、このホームサーバ４は携帯端末器２と家電機器３とを接続するので、家電機器３自体が遠隔制御のために電子メール受信部を有する必要がなく、家電機器３の小型化及びコスト低減を図ることができる。
【００２１】
計時部４２は、タイマで構成され、このタイマにより、例えば携帯端末器２から送信された電子メールを電子メール受信部４１が受信した時刻（破線枠内に示す）を計測する。この計時部４２は、選択部４４からの信号に基づき、計測した時刻に応じた信号を選択部４４に送信する。タイマは、ホームサーバ４の表示部（不図示）に時刻を表示するため利用されるもので、且つ、ホームサーバ４の各部が自身の動作時刻を計るため用いるものであってもよい。
【００２２】
記憶部４３は、メモリで構成され、このメモリにより上記第１テーブルを予め記憶する。メモリには、ＲＯＭ（Ｒｅａｄ  Ｏｎｌｙ  Ｍｅｍｏｒｙ）が含まれる。メモリに記憶された第１テーブルでは、２４時間が特定の時刻から別の時刻までの幾つかの時間帯に分けられており、それぞれの時間帯に携帯端末器２からの電子メールを受信した場合に実行する操作内容が設定されている。ユーザは、第１テーブルで定められた時間帯と、この時間帯に応じた操作内容、すなわち、操作の対象となる家電機器３及びこれに望む動作の内容とを、不図示のキーボード等のインターフェースにより任意に設定できる。例えば、図１で示されるように、第１テーブルでは、２４時間が長さの異なる５つの時間帯に区分されており、それぞれの時間帯に応じて、家電機器３である照明器具３ａ及びエアコン３ｂに行なわせる動作の内容が定められている。照明器具３ａに対するこの内容には、消灯と、点灯と、光量が調整された調光点灯とが含まれる。エアコン３ｂに対するこの内容には、暖房ＯＮと、除湿ＯＮと、電源ＯＦＦ（同図でＯＦＦと示す）とが含まれる。照明器具３ａ及びエアコン３ｂに行なわせる動作の内容はこれらに限定されない。上記第１テーブルに基づく操作内容の選択を行なわせるため、記憶部４３は、選択部４４からの信号に基づいて、第１テーブルに格納された情報を選択部４４にロードさせる。
【００２３】
選択部４４は、ＣＰＵを有するマイクロコンピュータで構成され、ホームサーバ４内の各部を制御する。また、選択部４４は、電子メール受信部４１が携帯端末器２からの電子メールを受信した場合、上記第１テーブルの情報を参照するため該情報を記憶部４３から読み出すと共に、計時部４２からの信号に基づき、該電子メールを受信した時刻を把握する。さらに、選択部４４は、第１テーブルにより複数の時間帯に関連付けられた操作内容のうち、該電子メールの受信時刻に応じて、この時刻を含む時間帯に関連付けられた操作内容を選択する。この操作内容の選択は、電子メール受信部４１からの信号に応じて、受信した電子メールのテキスト入力欄が参照されて行なわれる。操作内容の選択後、選択された家電機器３に対する操作内容に応じた信号が、選択部４４から機器制御部４５に出力される。なお、上記のように動作するためのプログラムは、選択部４４を構成する上記マイクロコンピュータ内のＲＯＭに記憶される。
【００２４】
機器制御部４５（制御部）は、ＣＰＵを有するマイクロコンピュータで構成される。このマイクロコンピュータは、選択部４４を構成するものと同一であってもよい。また、機器制御部４５は、選択部４４からの信号に応じて、選択部４４により選択された操作内容を実行するため家電機器３を制御する。この制御は、各種家電機器３に対して機器制御部４５から送信される制御信号に応じて行なわれる。この制御信号は、ＬＡＮ（Ｌｏｃａｌ  Ａｒｅａ  Ｎｅｔｗｏｒｋ）又は無線ＬＡＮを介して、若しくは電力供給用配線により伝送される。なお、上記のように動作するためのプログラムは、機器制御部４５を構成する上記マイクロコンピュータ内のＲＯＭに記憶される。
【００２５】
次に、上記のように構成された遠隔制御システム１の動作を説明する。まず、ユーザが、携帯端末器２のコマンド入力部２１を操作することにより、電子メールの送信先をホームサーバ４に指定し、家電機器３の名称等を電子メールのテキスト入力欄に入力しなかったとする。この操作に基づき、携帯端末器２の制御部２４は、ホームサーバ４を送信先とする空メールを作成し、この空メールをホームサーバ４に対して送信するように電子メール送信部２３を制御する。電子メール送信部２３は、制御部２４からの信号に基づき、この空メールを公衆通信回線５を介してホームサーバ４に送信する。
【００２６】
ホームサーバ４の電子メール受信部４１は、携帯端末器２からの空メールを受信し、この空メールに応じた信号を選択部４４に送信する。選択部４４は、計時部４２によってこの空メールを受信した時刻を把握する。ここで、空メールの受信時刻が例えば１９：１５であったとする。選択部４４は、電子メールが空メールであるため、記憶部４３の第１テーブルを参照して、１９：１５を含む時間帯である１７：００から２０：００に関連付けられた操作内容全て（太枠で示す）を選択する。ここで、第１テーブルにより、この時間帯と、「照明器具」３ａの「調光点灯」及び「エアコン」３ｂの「除湿ＯＮ」とが関連付けられていたとする。
【００２７】
操作内容の選択後、選択部４４は、照明器具３ａの「調光点灯」及びエアコン３ｂの「除湿ＯＮ」を指示する信号を機器制御部４５に出力する。この信号が入力された機器制御部４５は、照明器具３ａに対して「調光点灯」を指示する制御信号を送信し、エアコン３ｂに対して「除湿ＯＮ」を指示する制御信号を送信する。このような動作により、照明器具３ａ及びエアコン３ｂを含む家電機器３は遠隔制御される。
【００２８】
上記のように、家電機器３は、時間帯と該機器に対する操作内容とが関連付けられた第１テーブルに基づいて制御されるので、電子メールのテキスト入力欄に家電機器３の名称等を文字入力しなくとも、空メールの受信時刻を計測することにより、空メールによる家電機器３の制御を可能となる。このため、遠隔制御のための操作を簡単なものにできる。さらに、第１のテーブルにより時間帯と複数の家電機器３に対する操作内容とが関連付けられているので、ホームサーバ４を送信先にする電子メールを携帯端末器２から一度送信するだけで、複数の家電機器３を操作することが可能となる。このため、操作の煩雑さを解消することができ、操作の簡単化を図ることができる。
【００２９】
次に、本発明の第２の実施形態に係る遠隔制御システムについて図２を参照して説明する。図２は、本実施形態の遠隔制御システムの構成を示す。本実施形態の遠隔制御システム１は、第１の実施形態のそれと比較して、電子メールに家電機器３の名称が該機器に対するコマンドとして入力される点で異なる。本実施形態において、第１の実施形態と同一のものには同一符号を付している（以下、同様）。
【００３０】
同図を参照して遠隔制御システム１の動作を説明する。まず、ユーザが、携帯端末器２のコマンド入力部２１を操作することにより、電子メールの送信先をホームサーバ４に指定したとする。さらに、ユーザが、家電機器３に対するコマンドとして、遠隔操作を望む家電機器３の名称のみを電子メールのテキスト入力欄に入力したとする。例えば、ユーザが遠隔操作を望む家電機器３が照明器具３ａであり、ユーザが「照明」とテキスト入力欄に入力したとする。これらの入力操作に基づき、携帯端末器２の制御部２４は、ホームサーバ４が送信先であって、テキストが「照明」である電子メールを作成し、この電子メールをホームサーバ４に対して送信するように電子メール送信部２３を制御する。電子メール送信部２３は、制御部２４からの信号に基づき、この電子メールを公衆通信回線５を介してホームサーバ４に送信する。
【００３１】
ホームサーバ４の電子メール受信部４１は、携帯端末器２からの上記電子メールを受信し、この電子メールの内容を示す信号を選択部４４に送信する。選択部４４は、計時部４２によってこの電子メールを受信した時刻を把握する。ここで、電子メールの受信時刻が例えば１９：１５であったとする。選択部４４は、記憶部４３の第１テーブルを参照し、１９：１５を含む時間帯である１７：００から２０：００（太枠で示す）に関連付けられた操作内容を把握する。ここで、第１テーブルにより、この時間帯と、照明器具３ａの「調光点灯」及びエアコン３ｂの「除湿ＯＮ」とが関連付けられていたとする。携帯端末器２からの電子メールのテキスト入力欄には「照明」と入力されていることから、選択部４４は、照明器具３ａに対する操作とエアコン３ｂに対する操作のうち、照明器具３ａに対する操作のみを選択する（太枠で示す）。
【００３２】
上記の選択後、選択部４４は、照明器具３ａの「調光点灯」を指示する信号を機器制御部４５に出力する。この信号が入力された機器制御部４５は、照明器具３ａに対して「調光点灯」を指示する制御信号を送信する。このような動作により、電子メールのテキスト入力欄に操作対称として名称を入力され、且つ、第１テーブルにより該電子メールの受信時刻を含む時間帯に操作を関連付けられた家電機器３のみが遠隔制御される。本実施形態においても、第１の実施形態と同様に、家電機器３の小型化及び低コスト化を図れる効果と、一度の電子メール送信によって複数の家電機器３を操作可能とし、操作を簡単化できる効果とを得られる。
【００３３】
次に、本発明の第３の実施形態に係る遠隔制御システムについて図３を参照して説明する。図３は、本実施形態の遠隔制御システムの構成を示す。本実施形態の遠隔制御システムは、第２の実施形態のそれと比較して、電子メールにさらに家電機器３の所望の動作内容が該機器に対するコマンドとして入力されるものである。
【００３４】
同図を参照して遠隔制御システム１の動作を説明する。まず、ユーザが、携帯端末器２のコマンド入力部２１を操作することにより、電子メールの送信先をホームサーバ４に指定したとする。さらに、ユーザが、家電機器３に対するコマンドとして、遠隔操作を望む家電機器３の名称と、該機器に望む動作の内容を電子メールのテキスト入力欄に入力したとする。例えば、ユーザが遠隔操作を望む家電機器３が照明器具３ａ及びエアコン３ｂで、且つ、照明器具３ａの所望の動作内容が消灯であるため、ユーザが「照明  消灯（改行）エアコン」とテキスト入力欄に入力したとする。これらの操作に基づき、携帯端末器２の制御部２４は、ホームサーバ４が送信先であって、テキストが「照明  消灯（改行）エアコン」である電子メールを作成し、この電子メールをホームサーバ４に対して送信するように電子メール送信部２３を制御する。電子メール送信部２３は、制御部２４からの信号に基づき、この電子メールを公衆通信回線５を介してホームサーバ４に送信する。
【００３５】
ホームサーバ４の電子メール受信部４１は、携帯端末器２からの上記電子メールを受信し、この電子メールの内容を示す信号を選択部４４に送信する。選択部４４は、計時部４２によってこの電子メールを受信した時刻を把握する。ここで、電子メールの受信時刻が例えば２１：００であったとする。選択部４４は、記憶部４３の第１テーブルを参照し、２１：００を含む時間帯である２０：００から２２：００（太枠で示す）に関連付けられた操作内容を把握する。ここで、第１テーブルにより、この時間帯と、「照明器具」３ａの「調光点灯」及び「エアコン」３ｂの「暖房ＯＮ」とが関連付けられているとする。
【００３６】
選択部４４は、携帯端末器２からの電子メールのテキスト入力欄には「照明  消灯（改行）エアコン」と入力されていることから、第１テーブルを参照し、操作対象として照明器具３ａ及びエアコン３ｂを選択する。上記電子メールには「照明  消灯」というコマンドが入力されており、ユーザが照明器具３ａに対して望む動作内容は「消灯」であるため、選択部４４は、照明器具３ａの「調光点灯」ではなく該器具の「消灯」を選択する。すなわち、第１テーブルに定められた操作内容より、電子メールによってユーザから指示された操作内容の方が優先される。さらに、上記電子メールには家電機器３の名称として「エアコン」が入力されており、それに望む動作内容は示されていない。そこで、選択部４４は、第１テーブルを参照し、動作内容として「暖房ＯＮ」を選択する（太枠で示す）。
【００３７】
上記の選択後、選択部４４は、照明器具３ａの「消灯」及びエアコン３ｂの「暖房ＯＮ」を指示する信号を機器制御部４５に出力する。この信号が入力された機器制御部４５は、照明器具３ａに対して「消灯」を指示する制御信号を送信し、エアコン３ｂに対して「暖房ＯＮ」を指示する制御信号を送信する。このような動作により、（１）電子メールのテキスト入力欄に名称を入力され、且つ、第１テーブルにより該電子メールの受信時刻を含む時間帯に操作を関連付けられた家電機器３が遠隔制御される。また、（２）電子メールに家電機器３の所望の動作内容が示されており、且つ、その動作内容が第１テーブルで定められた操作内容と一致しない場合、電子メールに入力された動作内容に基づいて、家電機器３は遠隔制御される。本実施形態においても、上記の実施形態と同様に、家電機器３の小型化及び低コスト化を図れる効果と、一度の電子メール送信によって複数の家電機器３を操作可能とし、操作を簡単化できる効果とを得られる。
【００３８】
次に、本発明の第４の実施形態に係る遠隔制御システムについて図４を参照して説明する。図４は、本実施形態の遠隔制御システムの構成を示す。本実施形態の遠隔制御システムは、上記の実施形態のそれと比較して、家電機器３が操作された頻度が第１テーブルに追加される点で異なる。
【００３９】
第１テーブルは、時間帯と家電機器３に対する複数の操作内容とを関連付けする。例えば、同図で示されるように、同一の時間帯に、照明器具３に対する操作内容として「調光点灯」及び「点灯」の２つが関連付けられる。ユーザは、第１テーブルで定められた時間帯と、この時間帯に応じた操作内容、すなわち、操作の対象となる家電機器３及びこれに望む複数の動作の内容とを、不図示のキーボード等のインターフェースにより任意に設定できる。また、これらは、ユーザによる家電機器３のスイッチ、ボタン、リモコン等の操作器（不図示）の操作を検知した機器制御部４５からの信号に基づき、選択部４４により、時刻に応じて自動的に第１テーブルに追加設定される。
【００４０】
記憶部４３は、上記第１テーブルに対して、家電機器３に対する複数の操作内容のうち、それぞれの操作内容がユーザにより実行された頻度を追加し、この第１テーブルを記憶する。操作内容が実行されたと判断されるケースには、電子メールに含まれるコマンドに基づいて家電機器３が操作された場合と、家電機器３の上記操作器により家電機器３が操作された場合とが含まれる。機器制御部４５は、ユーザによるこのような操作内容の実行を検知し、選択部４４は、その頻度を記憶部４３により第１テーブルに記憶させる。
【００４１】
選択部４４は、上記第１テーブルを参照し、電子メールを受信した時刻を含む時間帯に関連付けされた複数の操作内容のうち、この時刻を含む時間帯に実行された回数が最も多いものを選択する。すなわち、同じ家電機器３に対する複数の操作内容のうち、最も高い頻度で実行された操作内容が選択される。
【００４２】
次に、上記のように構成された遠隔制御システム１の動作を説明する。まず、ユーザが、携帯端末器２のコマンド入力部２１を操作することにより、電子メールの送信先をホームサーバ４に指定し、家電機器３の名称等を電子メールのテキスト入力欄に入力しなかったとする。この操作に基づき、携帯端末器２の制御部２４は、ホームサーバ４を送信先とする空メールを作成し、この空メールをホームサーバ４に対して送信するように電子メール送信部２３を制御する。電子メール送信部２３は、制御部２４からの信号に基づき、この空メールを公衆通信回線５を介してホームサーバ４に送信する。
【００４３】
ホームサーバ４の電子メール受信部４１は、携帯端末器２からの空メールを受信し、この空メールに応じた信号を選択部４４に送信する。選択部４４は、計時部４２によってこの空メールを受信した時刻を把握する。ここで、空メールの受信時刻が例えば１９：００であったとする。選択部４４は、記憶部４３の第１テーブルを参照し、１９：００を含む時間帯である１７：００から２３：００に関連付けられた操作内容（太枠で示す）を把握する。ここで、第１テーブルにより、この時間帯と、「照明器具」３ａの「点灯、調光点灯」及び「エアコン」３ｂの「暖房ＯＮ、冷房ＯＮ」とが関連付けられているとする。この時間帯に、照明器具３ａの「点灯」が実行された回数は１０回（括弧内に示す。以下、同様。）、照明器具３ａの「調光点灯」が実行された頻度は６回、エアコン３ｂの「暖房ＯＮ」が実行された回数が９回、エアコン３ｂの「冷房ＯＮ」が実行された回数が０回であったとする。選択部４４は、照明器具３ａに対する操作内容として、動作回数がより多い「点灯」を選択し、エアコン３ｂに対する操作内容として、動作回数がより多い「暖房ＯＮ」を選択する。
【００４４】
操作内容の選択後、第１テーブルに格納された操作内容の実行回数が選択部４４によりインクリメントされて更新される。すなわち、照明器具３ａの「点灯」が実行された回数は１１回、エアコン３ｂの「暖房ＯＮ」が実行された回数が１０回となる。選択部４４は、照明器具３ａの「点灯」及びエアコン３ｂの「暖房ＯＮ」を指示する信号を機器制御部４５に出力する。この信号が入力された機器制御部４５は、照明器具３ａに対して「点灯」を指示する制御信号を送信し、エアコン３ｂに対して「暖房ＯＮ」を指示する制御信号を送信する。このような動作により、家電機器３は遠隔制御される。
【００４５】
上記のように、家電機器３に対する操作内容が実行された頻度が記憶され、複数の操作内容のうち最も高い頻度で実行された操作内容が自動的に選択される。従って、遠隔制御システム１が学習機能を有することになり、ユーザの利便性が向上する。また、本実施形態においても、上記の実施形態と同様に、家電機器の小型化及び低コスト化を図れる効果と、遠隔制御のための操作を簡単化できる効果とを得られる。
【００４６】
次に、本発明の第５の実施形態に係る遠隔制御システムについて図５を参照して説明する。図５は、本実施形態の遠隔制御システムの構成を示す。本実施形態の遠隔制御システムは、上記の実施形態のそれと比較して、記憶部４３が、電子メールに基づいて作成される第２テーブルをさらに記憶する点で異なる。
【００４７】
記憶部４３は、メモリにより、上記の第１テーブルに加え、携帯端末器２から送信された電子メールに基づいて作成される第２テーブルを記憶する。この第２テーブルは、時間帯と、上記電子メールのテキスト入力欄に入力された操作内容と、この操作内容がユーザにより実行された頻度とを関連付ける。また、この第２テーブルは選択部４４により作成される。上記第２テーブルに基づく操作内容の選択を行なわせるため、記憶部４３は、選択部４４からの信号に基づいて、第２テーブルに格納された情報を選択部４４にロードさせる。
【００４８】
第２テーブルの作成手順について以下に説明する。まず、２４時間が第１テーブルと同じ時間間隔で幾つかの時間帯に分けられる。次に、ホームサーバ４の電子メール受信部４１が、家電機器３の名称及び動作内容を含む電子メールを携帯端末器２から受信したとき、この電子メールの受信時刻が計時部４２により計測される。この電子メールに含まれる動作内容が、第１テーブル及び第２テーブルに格納された操作内容のうち、受信時刻を含む時間帯に関連付けられた操作内容に含まれていない場合、この動作内容がこの時間帯と関連付けられて第２テーブルに格納される。この場合、操作内容が実行された回数は１回となる。一方、電子メールに含まれる動作内容が、第１テーブル又は第２テーブルに格納された操作内容のうち、受信時刻を含む時間帯に関連付けられた操作内容に含まれる場合、該当するテーブル内の操作内容の実行回数がインクリメントされて更新される。
【００４９】
上記のように作成された第２テーブルの例を以下に挙げる。図５で示されるように、第２テーブルでは、２４時間が長さの異なる２つの時間帯に区分されている。この区分法は、第１テーブルと同じである。既に受信した電子メールの基づき、それぞれの時間帯に応じて、家電機器３である照明器具３ａ及びエアコン３ｂに行なわせる動作の内容が定められている。照明器具３ａに対するこの内容には、消灯が含まれる。エアコン３ｂに対するこの内容には、除湿ＯＮと、冷房ＯＮと、電源ＯＦＦ（同図でＯＦＦと示す）とが含まれる。照明器具３ａ及びエアコン３ｂに行なわせる動作の内容はこれらに限定されない。
【００５０】
選択部４４は、電子メール受信部４１が携帯端末器２からの電子メールを受信した場合、上記第１テーブル及び第２テーブルの情報を参照するため該情報を記憶部４３から読み出す。また、選択部４４は、計時部４２からの信号に基づき、この電子メールを受信した時刻を把握する。この電子メール中に、家電機器３の名称が記載されているものの、その動作内容が指示されていない場合、選択部４４は、第１テーブル及び第２テーブルに格納され、且つ、複数の時間帯に関連付けられた操作内容のうち、電子メールの受信時刻を含む時間帯に実行された回数が最も多いものを選択する。すなわち、同じ家電機器３に対する複数の操作内容のうち、最も高い頻度で実行された操作内容が第１テーブル及び第２テーブルの中から選択される。一方、この電子メール中に、家電機器３の名称及びそれに望む動作内容が記載されている場合、選択部４４は、電子メールの記載の動作内容を選択する。操作内容の選択後、選択された家電機器３に対する操作内容に応じた信号が、選択部４４から機器制御部４５に出力される。
【００５１】
また、選択部４４は、電子メールに含まれる動作内容が、第１テーブル及び第２テーブルに格納された操作内容のうち、受信時刻を含む時間帯に関連付けられた操作内容に含まれていない場合、この動作内容をこの時間帯と関連付けて第２テーブルに格納させる。また、電子メールに基づいて家電機器３が操作された場合、選択部４４は、操作内容の実行回数を記憶部４３により第２テーブルに記憶させる。
【００５２】
次に、上記のように構成された遠隔制御システム１の動作を説明する。まず、ユーザが、携帯端末器２のコマンド入力部２１を操作することにより、電子メールの送信先をホームサーバ４に指定し、家電機器３に対する操作内容を含む電子メールを送信したとする。例えば、この操作内容が「照明（改行）エアコンＯＦＦ」であったとする。この操作に基づき、携帯端末器２の制御部２４は、ホームサーバ４を送信先とする電子メールを作成し、この電子メールをホームサーバ４に対して送信するように電子メール送信部２３を制御する。電子メール送信部２３は、制御部２４からの信号に基づき、この電子メールを公衆通信回線５を介してホームサーバ４に送信する。
【００５３】
ホームサーバ４の電子メール受信部４１は、携帯端末器２からの電子メールを受信し、この電子メールに応じた信号を選択部４４に送信する。選択部４４は、計時部４２によってこの電子メールを受信した時刻を把握する。ここで、電子メールの受信時刻が例えば２３：００であったとする。選択部４４は、記憶部４３の第１テーブル及び第２テーブルを参照し、２３：００を含む時間帯である２０：００から７：００（太枠で示す）に関連付けられた操作内容を把握する。ここで、第１テーブルでは、この時間帯と、「照明器具」３ａの「調光点灯」及び「エアコン」３ｂの「暖房ＯＮ」とが関連付けられているとする。この時間帯に、照明器具３ａの「調光点灯」が実行された回数は０回、エアコン３ｂの「暖房ＯＮ」が実行された回数が３回であったとする。これに対して、第２テーブルでは、この時間帯と、「照明器具」３ａの「消灯」が関連付けられているとする（太枠で示す）。この時間帯に、電子メールに基づいて、照明器具３ａの「消灯」が実行された回数は１回であったとする。上記電子メールには家電機器３の名称として「照明」が入力されており、それに望む動作内容は示されていないので、選択部４４は、照明器具３ａに対する操作内容に、動作回数がより多い「消灯」を選択する。また、上記電子メールには「エアコンＯＦＦ」というコマンドが入力されているので、選択部４４は、エアコン３ｂの「暖房ＯＮ」ではなくエアコン３ｂの「ＯＦＦ」を選択する。
【００５４】
操作内容の選択後、選択部４４は、第２テーブル記載された照明器具３ａの「消灯」の実行回数を２回に更新する。また、選択部４４は、エアコン３ｂの新たな操作内容として「ＯＦＦ」を、電子メールの受信時刻を含む時間帯と関連付けて第２テーブルに格納する。その際、エアコン３ｂの「ＯＦＦ」の実行回数は１回と記録される。さらに、選択部４４は、照明器具３ａの「消灯」及びエアコン３ｂの「ＯＦＦ」を指示する信号を機器制御部４５に出力する。この信号が入力された機器制御部４５は、照明器具３ａに対して「消灯」を指示する制御信号を送信し、エアコン３ｂに対して「ＯＦＦ」を指示する制御信号を送信する。このような動作により、照明器具３ａ及びエアコン３ｂを含む家電機器３は遠隔制御される。本実施形態においても、第４の実施形態と同様に、ユーザの利便性を向上できる効果と、家電機器の小型化及び低コスト化を図れる効果と、遠隔制御のための操作を簡単化できる効果とを得られる。
【００５５】
次に、本発明の第６の実施形態に係る遠隔制御システムについて図６及び図７を参照して説明する。図６は、本実施形態の遠隔制御システムの構成を示す。本実施形態の遠隔制御システムは、第４及び第５の実施形態のそれと比較して、ホームサーバ４が、頻度順に配列された複数の操作内容を表示するための返信メールを携帯端末器２に送信する機能が追加されたものである。このため、図６のホームサーバ４は、図４及び図５のホームサーバ４に、電子メールを送信する電子メール送信部４６がさらに設けられたものである。図６の携帯端末器２は、図４及び図５の携帯端末器２に、電子メールを受信する電子メール受信部２５がさらに設けられたものである。
【００５６】
ホームサーバ４の電子メール送信部４６は、電子メールを送信するための通信回路で構成される。電子メール送信部４６は、この通信回路により、電子メールをユーザが指定した送信先へ送信する。この電子メールは公衆通信回線５を介して送信される。図６において、電子メール送信部４６の破線枠内に、送信済みの電子メールの内容を示す。該内容には、電子メールの送信先（Ｔｏ）、件名及びテキストの内容が含まれる。
【００５７】
選択部４４は、電子メール受信部４１がコマンドを含む電子メールを受信したとき、上記第１テーブル及び上記第２テーブルを参照し、この電子メールの受信時刻を含む時間帯に関連付けされ、且つ、頻度順に配列された複数の操作内容を表示するための返信メールを携帯端末器２に送信する。また、選択部４４は、この返信メールに対する携帯端末器２からの返答である後述の再送信メールの内容に応じて、上記第１テーブル及び上記第２テーブルを参照し、操作内容を選択する。
【００５８】
携帯端末器２の電子メール受信部２５は、電子メールを受信するための無線通信回路で構成され、この無線通信回路により、例えば、ホームサーバ４の電子メール送信部４６から携帯端末器２へ送信された電子メールを受信する。また、電子メール受信部２５は、受信した電子メールに応じた信号を制御部２４に送信する。図６において、電子メール受信部２５の破線枠内に、受信した電子メールの内容を示す。該内容には、電子メールの送信元（Ｆｒｏｍ）、件名及びテキストの内容が含まれる。
【００５９】
制御部２４は、電子メール受信部２５からの信号に応じて、電子メールの内容を表示部２２に表示させる。例えば、電子メール受信部２５が、上記のホームサーバ４からの上記返信メールを受信したとき、制御部２４は、頻度順に配列された複数の操作内容をテキストとして表示部２２に表示させる。さらに、制御部２４は、上記返信メールの表示を基にユーザにより選択された操作内容をテキストとして持つ電子メールを作成する。この電子メールの送信先はホームサーバ４である。この電子メールは、制御部２４からの信号に基づき、電子メール送信部２３からホームサーバ４に送信される。上記の電子メールは、操作内容を含んで再びホームサーバ４に送信されるものであるため、以下、この電子メールを再送信メールという。
【００６０】
次に、図７を参照して、上記のように構成された遠隔制御システム１の動作を説明する。同図は、携帯端末器２とホームサーバ４との間で行なわれる電子メールのやり取りを示す。まず、ユーザが、携帯端末器２のコマンド入力部２１を操作することにより、電子メールの送信先をホームサーバ４に指定し、家電機器３の名称及びこれに望む動作の内容を電子メールのテキスト入力欄に入力しなかったとする。この操作に基づき、携帯端末器２の制御部２４は、ホームサーバ４を送信先とする空メールを作成し、この空メールをホームサーバ４に対して送信するように電子メール送信部２３を制御する。電子メール送信部２３は、制御部２４からの信号に基づき、この空メールを公衆通信回線５を介してホームサーバ４に送信する。
【００６１】
ホームサーバ４の電子メール受信部４１は、携帯端末器２からの空メールを受信し、この空メールに応じた信号を選択部４４に送信する。選択部４４は、計時部４２によってこの空メールを受信した時刻を把握する。ここで、空メールの受信時刻が例えば１２：００であったとする（図６参照）。選択部４４は、電子メールが空メールであるため、記憶部４３の第１テーブル及び第２テーブルを参照して、１２：００を含む時間帯である７：００から２０：００に関連付けられた操作内容全て（太枠で示す）を把握する。ここで、第１テーブル及び第２テーブルにより、この時間帯と、「照明器具」３ａの「点灯、消灯」及び「エアコン」３ｂの「ＯＦＦ、除湿ＯＮ」とが関連付けられていたとする。この時間帯の照明器具３ａの「点灯」実行回数は２回、「消灯」実行回数は４回、エアコン３ｂの「ＯＦＦ」実行回数は５回、「除湿ＯＮ」実行回数は２回であったとする。
【００６２】
操作内容を把握した後、選択部４４は、送信先を携帯端末器２とし、件名を「動作リスト」とし、テキストを頻度順に配列された操作内容とする電子メールを作成する。テキスト入力欄には、操作対象の家電機器３を示すために「照明」と記載される。上記の通り、「消灯」実行回数は、「点灯」実行回数より多いので、「照明」というテキストに続いて、「消灯／点灯」の順でテキストが入力される。さらに、別の操作対象の家電機器３を示すために、テキスト入力欄に、改行されて「エアコン」というテキストが記載される。上記の通り、「ＯＦＦ」実行回数は、「除湿ＯＮ」実行回数より多いので、「エアコン」というテキストに続いて、「ＯＦＦ／除湿ＯＮ」の順でテキストが入力される。テキスト入力欄の最後には、例えば「動作を選択して返信して下さい」等のコメントが記載される。選択部４４は、上記のような電子メールを携帯端末器２に対して送信するように電子メール送信部４６を制御する。
【００６３】
上記電子メールを受信した携帯端末器２の電子メール受信部２５は、この電子メールの内容に応じた信号を制御部２４に送信する。制御部２４は、この信号に基づき、電子メールの内容を表示部２２に表示させる。ユーザが、コマンド入力部２１を操作し、電子メールに記載された操作内容のうち、所望の操作内容を選択した再送信メールを作成したとする。この作成は、例えば、受信した電子メールの引用返信を制御部２４に指示して、望まない操作内容をテキストから削除することにより可能であり、簡単に再送信メールを作成することができる。このような作成方法により、テキストを「照明  消灯（改行）エアコン  ＯＦＦ」とする再送信メールがユーザにより作成されたとする。電子メール送信部２３は、制御部２４からの信号に基づき、この再送信メールを公衆通信回線５を介してホームサーバ４に送信する。このように、ユーザは、頻度順に配列された家電機器３に対する操作内容を表示するための返信メールを基に、所望の操作内容を選択することができるので、操作内容の選択を容易に行なうことができる。また、選択した操作内容を含む再送信メールにより家電機器３を遠隔制御できるので、遠隔制御のための操作を簡単なものにすることができる。従って、利便性を一層向上させることが可能となる。
【００６４】
ホームサーバ４の電子メール受信部４１はこの再送信メールを受信し、該メールの内容に応じた信号を選択部４４に出力する。この信号を受信した選択部４４は、再送信メールのテキスト入力欄に「照明  消灯（改行）エアコン  ＯＦＦ」というテキストが入力されているので、操作対象として照明器具３ａ及びエアコン３ｂを選択する。上記電子メールには「照明  消灯」というコマンドが入力されており、ユーザが照明器具３ａに対して望む動作内容は「消灯」であるため、選択部４４は、照明器具３ａの「消灯」を選択する。さらに、上記電子メールには家電機器３の名称として「エアコン」が入力されており、ユーザがエアコン３ｂに対して望む動作内容は「ＯＦＦ」であるため、選択部４４は、エアコン３ｂの「ＯＦＦ」を選択する。
【００６５】
上記の選択後、選択部４４は、第１テーブル記載された照明器具３ａの「消灯」の実行回数を５回に、エアコン３ｂの「ＯＦＦ」の実行回数を６回に更新する。また、選択部４４は、照明器具３ａの「消灯」及びエアコン３ｂの「ＯＦＦ」を指示する信号を機器制御部４５に出力する。この信号が入力された機器制御部４５は、照明器具３ａに対して「消灯」を指示する制御信号を送信し、エアコン３ｂに対して「ＯＦＦ」を指示する制御信号を送信する。このような動作により、照明器具３ａ及びエアコン３ｂを含む家電機器３は遠隔制御される。本実施形態においても、第４及び第５の実施形態と同様に、ユーザの利便性を向上できる効果と、家電機器の小型化及び低コスト化を図れる効果と、遠隔制御のための操作を簡単化できる効果とを得られる。
【００６６】
本発明は、上記のような実施形態の構成に限定されるものでなく、使用目的に応じ、様々な変形が可能である。例えば、第１テーブル及び第テーブルにおいて、２４時間が長さの同じ複数の時間帯に分けられていてもよい。
【図面の簡単な説明】
【００６７】
【図１】本発明の第１の実施形態に係る遠隔制御システムの構成を示すブロック図。
【図２】本発明の第２の実施形態に係る遠隔制御システムの構成を示すブロック図。
【図３】本発明の第３の実施形態に係る遠隔制御システムの構成を示すブロック図。
【図４】本発明の第４の実施形態に係る遠隔制御システムの構成を示すブロック図。
【図５】本発明の第５の実施形態に係る遠隔制御システムの構成を示すブロック図。
【図６】本発明の第６の実施形態に係る遠隔制御システムの構成を示すブロック図。
【図７】上記遠隔制御システムの携帯端末器とホームサーバとの間で、操作内容の選択のため行なわれる電子メールのやり取りを示す図。
【符号の説明】
【００６８】
１  遠隔制御システム
２  携帯端末器
２１  コマンド入力部
２２  表示部
２３  電子メール送信部
２４  制御部
２５  電子メール受信部
３  家電機器
３ａ  照明器具
３ｂ  エアコン
４  ホームサーバ
４１  電子メール受信部
４２  計時部
４３  記憶部
４４  選択部
４５  機器制御部（制御部）
４６  電子メール送信部
【図１】
2007257427.tif 000003
【図２】
2007257427.tif 000004
【図３】
2007257427.tif 000005
【図４】
2007257427.tif 000006
【図５】
2007257427.tif 000007
【図６】
2007257427.tif 000008
【図７】
2007257427.tif 000009